(57)【要約】【課題】手洗器ユニットにおけるカウンター載置部の重合領域の変更を容易にすることを目的とする。【解決手段】手洗器を備えたカウンターと、上部にカウンターを載置するための金属フレームと、を備え、金属フレームは、上部にカウンター載置部と、カウンター載置部から下方に伸びて床面に当接してカウンター載置部を支持する支持脚と、を有しており、カウンター載置部は、第一カウンター載置部と、この第一カウンター載置部と互いに摺動し伸縮可能な第二カウンター載置部とに分割されており、第一カウンター載置部は、後方および前方に支持脚を有すると共に、この支持脚よりも第二カウンター載置部側において支持脚の下端同士を前後方向に連結した前後補強部材を有しており、第二カウンター載置部は、前方に支持脚を有すると共に、支持脚の下端から前後補強部材に向かって左右方向に延び、前後補強部材と摺動可能に連結される左右補強部材を有している。【選択図】  図３
2018167017.tif 000002
【特許請求の範囲】
【請求項１】
手洗器を備えたカウンターと、上部に前記カウンターを載置するための金属フレームと、を備え壁面に面して設置される手洗器ユニットであって、
前記金属フレームは、上部にカウンターを載置するためのカウンター載置部と、前記カウンター載置部から下方に伸びて床面に当接して前記カウンター載置部を支持する支持脚と、を有しており、
前記カウンター載置部は、第一カウンター載置部と、この第一カウンター載置部と互いに摺動し伸縮可能な第二カウンター載置部とに左右に分割されており、前記第一カウンター載置部は、後方および前方に前記支持脚を有すると共に、この支持脚よりも前記第二カウンター載置部側において前記支持脚の下端同士を前後方向に連結した前後補強部材を有しており、前記第二カウンター載置部は、前方に前記支持脚を有すると共に、前記支持脚の下端から前記前後補強部材に向かって左右方向に延び、前記前後補強部材と摺動可能に連結される左右補強部材を有していることを特徴とする手洗器ユニット。
【請求項２】
前記第一カウンター載置部は、中央カウンター載置部と、この中央カウンター載置部と互いに摺動し伸縮可能な第三カウンター載置部とに左右に分割され、
前記第三カウンター載置部は、前方に前記支持脚を有しており、
前記中央カウンター載置部は、後方に前記支持脚を有しており、
前記前後補強部材は、前記中央カウンター載置部の支持脚から前方向に延在した前後補強部材本体と、この前後補強部材本体に連結されて、この前後補強部材本体と、前記第３カウンター載置部の支持脚とを、左右方向に摺動して伸縮可能にする第二左右補強部材に分割されていることを特徴とする請求項１に記載の手洗器ユニット。
【請求項３】
前記中央カウンター載置部の前記支持脚の下方には、前記カウンターが左右方向に揺らがないように、左右方向安定部を有することを特徴とする請求項２記載の手洗器ユニット。
【請求項４】
前記中央カウンター載置部の前記支持脚には、配管を支持するための配管支持部を備えた請求項３記載の手洗器ユニット。
【請求項５】
前記壁面に面する前記第二カウンター載置部及び前記第三カウンター載置部の後端部に、前記壁面に固定される固定部材が設けられていることを特徴とする請求項２に記載の手洗い器ユニット。
【発明の詳細な説明】
【技術分野】
【０００１】
本発明は、手洗器を備えたカウンターと、このカウンターを上部に載置するための金属フレームと、を備えた手洗器ユニットに係り、特に、壁面に面して設置される手洗器ユニットに関する。
【背景技術】
【０００２】
従来では、設置現場に合わせてカウンターと、このカウンターの大きさに合った金属フレームと、を工場にて製作し、その後設置現場に搬入して、手洗器ユニットを設置していた。
【０００３】
この金属フレームは、カウンターを載置するカウンター載置部と、このカウンター載置部の四隅に下方に伸びてカウンター載置部を支持する支持足と、を有する。さらに、この金属フレームの強度を十分に保つために、床面上で、夫々の支持足は、縦方向及び横方向に対して補強部材により連結固定されている。（例えば特許文献１）
【先行技術文献】
【特許文献】
【０００４】
【特許文献１】特開平２−２７２１１９
【発明の概要】
【発明が解決しようとする課題】
【０００５】
しかしながら、カウンターの大きさに合った金属フレームを工場にて製作し、設置現場に搬入する場合、金属フレームにカウンターを載置するためのカウンター載置部の大きさが、カウンターの大きさ程あるため、金属フレーム全体としての大きさが大きくなってしまい、金属フレームの搬入性に関して問題があった。
【０００６】
そこで、この金属フレームのカウンター載置部を左右の幅方向で二つに分割して、この二つに分割された金属フレームが互いに摺動し伸縮可能に構成することで、金属フレームを縮めたときに従来よりも小さく搬入性の高い金属フレームであって、さらに、伸ばしたときにカウンターの大きさに対応することで、カウンター載置部の摺動部同士が重なり合う領域、すなわち、重合領域を変更可能とし、金属フレームとしての機能を損なわずして、搬入性の高い金属フレームの実現を考えた。
【０００７】
しかしながら、上述した二つに分割された金属フレーム構造において、金属フレームのカウンター載置部の重合領域の変更に関する課題が生じてしまった。
【０００８】
それは、この金属フレームは、壁面に面して設置され、さらに、手洗器に配管を配設するための配管接続管が壁面にあるため、分割された金属フレームを摺動させる際に、この配管接続管と壁面側の金属フレームとがぶつかり伸縮させることができず、カウンター載置部の重合領域の変更ができない点である。
【０００９】
本発明は、金属フレームのカウンター載置部の重合領域の変更に関する、上述した特有の課題を解決するものである。すなわち、カウンター載置部の重合領域の変更を容易にするものである。
【課題を解決するための手段】
【００１０】
上記課題を解決するための解決手段は、手洗器を備えたカウンターと、上部にカウンターを載置するための金属フレームと、を備え壁面に面して設置される手洗器ユニットであって、金属フレームは、上部にカウンターを載置するためのカウンター載置部と、カウンター載置部から下方に伸びて床面に当接してカウンター載置部を支持する支持脚と、を有しており、カウンター載置部は、第一カウンター載置部と、この第一カウンター載置部と互いに摺動し伸縮可能な第二カウンター載置部とに左右に分割されており、第一カウンター載置部は、後方および前方に支持脚を有すると共に、この支持脚よりも第二カウンター載置部側において支持脚の下端同士を前後方向に連結した前後補強部材を有しており、第二カウンター載置部は、前方に支持脚を有すると共に、支持脚の下端から前後補強部材に向かって左右方向に延び、前後補強部材と摺動可能に連結される左右補強部材を有していることを特徴とする手洗器ユニットである。
【００１１】
この発明によれば、このカウンター載置部は、第一カウンター載置部と、このカウンター載置部と互いに摺動し伸縮可能な第二カウンター載置部とに左右に分割されている。このため、第一カウンター載置部に対して、第二カウンター載置部を移動させることで、手洗器を備えたカウンターの大きさに合わせて、カウンター載置部の重合領域を変更することができる。
【００１２】
さらに、第一カウンター載置部は、後方および前方に支持脚を有すると共に、支持脚よりも第二カウンター載置部側において前記支持脚の下端同士を前後方向に連結した前後補強部材を有している。このため、カウンター載置部に手洗器を備えたカウンターを載置した場合であっても、前後方向の十分な強度を確保できる。
【００１３】
また、第二カウンター載置部は、前方に支持脚を有すると共に、支持脚の下端から前後補強部材に向かって左右方向に延び、前後補強部材と連結される左右補強部材を有している。このため、第一カウンター載置部に対して、第二カウンター載置部を移動させることで、カウンター載置部の重合領域を変更した場合においても、壁面に設けられた配管接続管に対して、第二カウンター載置部の支持脚が衝突することがない。
【００１４】
さらに、このカウンター載置部は、カウンター載置部の重合領域を変更した場合においても、第一カウンター載置部の前後補強部材と連結されるような左右補強部材、すなわち、第二カウンター載置部の移動方向に左右補強部材を有することで、カウンター載置部の重合領域の変更を容易にすることができる。
【００１５】
第二の発明において、好ましくは、第一カウンター載置部は、中央カウンター載置部と、この中央カウンター載置部と互いに摺動し伸縮可能な第三カウンター載置部とに左右に分割され、第三カウンター載置部は、前方に支持脚を有しており、中央カウンター載置部は、後方に支持脚を有しており、前後補強部材は、中央カウンター載置部の支持脚から前方向に延在した前後補強部材本体と、この前後補強部材本体に連結されて、この前後補強部材本体と、第３カウンター載置部の支持脚とを、左右方向に摺動して伸縮可能にする第二左右補強部材に分割されている。
【００１６】
第一カウンター載置部は、第３カウンター載置部と、中央カウンター載置部とに互いに摺動し伸縮可能に分割されている。第３カウンター載置部が伸縮可能なために、カウンター載置部は左右両方向に対して移動してカウンター載置部の重合領域を変更可能にしている。また、前後補強部材が、前後補強部材本体と、第二左右補強部材とに分割されているため、第３カウンター載置部の強度も十分に確保されている。さらに、第３カウンター載置部は支持脚を前方に有するため、この第３カウンター載置部は、壁面の配管にぶつかることなく移動できる。よって、カウンター載置部の重合領域の変更を容易にすることができる。
【００１７】
第三の発明において、好ましくは、第二の発明に加えて、中央カウンター載置部の支持脚の下方には、カウンターが左右方向に揺らがないように、左右方向安定部を有する。
【００１８】
中央カウンター載置部の支持脚の下方には、カウンターが左右方向に揺らがないように、左右方向安定部を有することにより、この支持脚に対するカウンターからの重力に逆らう方向に力を加えて、すなわち、後方に位置するカウンター載置部にカウンターを支持させるようにして、支持脚が床面に摩擦される摩擦力を下げようとした場合においても、安定して第三カウンター載置部乃至第二カウンター載置部を移動させることができる。よって、カウンター載置部の重合領域の変更を容易にすることができる。
【００１９】
第四の発明において、好ましくは、第三の発明に加えて、中央カウンター載置部の支持脚には、配管を支持するための配管支持部を備えた。
【００２０】
壁面に設けられた配管を手洗器に配設した後に、カウンターに対して金属フレームを伸縮させたい場合において、中央カウンター載置部の支持脚に配管支持機能を有させたことにより、配管の位置を変化させることなく、第三カウンター載置部、第二カウンター載置部を移動させることができるので、配管を配設し直す必要がない。よって、カウンター載置部の重合領域の変更を容易にすることができる。
【００２１】
第五の発明において、好ましくは、第二の発明に加えて、壁面に面する第二カウンター載置部及び第三カウンター載置部の後端部に、壁面に固定される固定部材が設けられている。
【００２２】
上方に手洗い器を備えたカウンターを載置するためのカウンター載置部の高さが、中央カウンター載置部と、第二カウンター載置部と、第三カウンター載置部と、で異なることが無いように、壁面に面する第二カウンター載置部及び第三カウンター載置部の後端部に、壁面に固定される固定部材を設けた。
これによって、前方に支持脚を有する第二カウンター載置部及び第三カウンター載置部が床のゆがみなどによる影響を受けて、中央カウンター載置部と異なる高さになった際にも、第二カウンター載置部及び第三カウンター載置部の支持脚から離れた位置にある第二カウンター載置部及び第三カウンター載置部の後端部に設けられた固定部材で、高さを調節し壁面に固定することができるため、カウンター載置部の上部の高さを等しく調整できる。また、これにより、カウンターを載置させた際に、重合領域に偏った荷重がかかることがなくなるため重合領域の境界に曲げ力が発生することを防止できる。
【発明の効果】
【００２３】
本発明の態様によれば、手洗器を備えるカウンターを載置するためのカウンター載置部の重合領域を変更させやすい手洗器ユニットを提供することができる。
【図面の簡単な説明】
【００２４】
【図１】本発明の実施の形態における手洗器ユニットを壁面に面して配置した場合の斜視図である。
【図２】本発明の実施の形態における金属フレーム（縮時）の斜視図である。
【図３】本発明の実施の形態における金属フレームの分解斜視図である。
【図４】本発明の実施の形態における金属フレーム（伸時）の斜視図である。
【図５】本発明の実施の形態における配管接続部材の拡大図である。
【図６】本発明の実施の形態における金属フレームの背面斜視図である。
【００２５】
本発明の実施の形態について、まず、図１、図２、図６に基づき、手洗器ユニット１全体の構造について、その後、金属フレーム７の構造について説明する。
【発明を実施するための形態】
【００２６】
本発明の実施の形態における手洗器ユニット１は、コンクリートやタイルといった摩擦抵抗の大きい床面３上に、ボルト等の固定手段（図示しない）により固定される。手洗器ユニット１は、配管を取り付けるための管状の配管取り付け管（図示しない）を有する壁面に面している。なお、配管取り付け管は床面３に備えられていてもよい。カウンター９は、金属の直方体形状の格子で構成された金属フレーム７の上方に載置される。この手洗器ユニット１は、利用者が手洗いや洗面を行うことができるボウル部１５と水栓１２とを有する手洗器を備えたカウンター９と、この手洗器ユニット１の前方において、手洗器ユニット１の意匠性を向上させるための平板状の化粧パネル１０を有している（図１参照）。
【００２７】
手洗器を備えたカウンター９は、上方視において、長方形状である。上段面９ａと、下段面９ｂと、段差面９ｃとで構成されたカウンター面９ｍを有する。このカウンター面９ｍの下段面９ｂには、排水管１１に接続されて水を排水するための排水口１３が開口されたボウル部１５を有する。このボウル部１５は、左右方向に１つずつ備えられている。さらに、このボウル部１５は、カウンター面９ｍに一体的に成形されている。夫々のボウル部１５に対して、給水管に接続されてこのボウル部１５に吐水を行うための水栓が段差面９ｃに取り付けられている。右方に位置するボウル部１５の左右方向には、利用者が手をかけて体を安定させることができる手摺１７が設けられている。この手摺１７は、カウンター９の下段面９ｂに取り付けられている。
【００２８】
金属フレーム７は、カウンター９を載置するためのカウンター載置部１９と、このカウンター載置部１９の前方の両隅と前方の中間との夫々に、さらに、このカウンター載置部１９の後方にカウンター９を床面３から支持するための支持脚を有する。
【００２９】
カウンター載置部１９は、上方視において長方形状の枠である。カウンター載置部１９は、第三カウンター載置部２７、中央カウンター載置部３１、第二カウンター載置部２９に分割されている。
【００３０】
このカウンター載置部１９の左方には、中央に向けて開いている逆コの字形状の第三カウンター載置部２７を有する。さらに、カウンター載置部１９の右方にも同様に、中央に向けて開いているコの字形状の第二カウンター載置部２９を有する。第三カウンター載置部２７と、第二カウンター載置部２９との間において、中央カウンター載置部３１を有する。中央カウンター載置部３１は、上方視においてＨ字形状を転置した形の中央カウンター載置部本体３１ａと、（図３参照）この中央カウンター載置部本体３１ａの後方に左方及び右方から接続された中央カウンター載置部後方延長部材３１ｂと、この中央カウンター載置部後方延長部材３１ｂの前方に中央カウンター載置部前方延長部材３１ｃとを有する。この中央カウンター載置部後方延長部材３１ｂと、中央カウンター載置部本体３１ａとは摺動して伸縮可能に構成されている。図３のａ２、ａ３の矢印の方向に摺動可能である。
【００３１】
また、この中央カウンター載置部前方延長部材３１ｃと、中央カウンター載置部３１とも、摺動して伸縮可能に構成されている。図３のａ６、ａ７の矢印の方向に摺動可能である。この中央カウンター載置部後方延長部材３１ｂと、第三カウンター載置部２７の後方と、第二カウンター載置部２９の後方とが摺動して伸縮可能に構成されている。図３のａ１、ａ４の矢印の方向に摺動可能である。前方も同様に、第三カウンター載置部２７の前方と、第二カウンター載置部２９の前方とが摺動して伸縮可能に構成されている。図３のａ５、ａ６の矢印の方向に摺動可能である。
【００３２】
第三カウンター載置部２７は、前方に第三カウンター載置部の前方の支持脚２１ａを有する。中央カウンター載置部３１は、前方に中央カウンター載置部の前方の支持脚２１ｂを有する。第二カウンター載置部２９は、この前方に、第二カウンター載置部の前方の支持脚２１ｃを有する。中央カウンター載置部後方延長部材３１ｂの後方の両端には、中央カウンター載置部の後方の支持脚２１ｄを有する。
【００３３】
中央カウンター載置部の後方の支持脚２１ｄ下端は、前方に延びる長板状の金属の前後補強部材２３を有する。第三カウンター載置部の前方の支持脚２１ａと中央カウンター載置部の前方の支持脚２１ｂとの下端は、左右方向に延びる長板状の、摺動して伸縮可能な左右補強部材２５を有する。図３のａ９、ａ１０の矢印の方向に摺動可能である。さらに、第二カウンター載置部の前方の支持脚２１ｃと中央カウンター載置部の前方の支持脚２１ｂとの下端は、摺動して伸縮可能な左右補強部材２５を有する。図３のａ１１、ａ１２の矢印の方向に摺動可能である。さらに、前後補強部材２３は、左右補強部材２５に連結されている。
【００３４】
壁面は配管取り付け管5を有している。配管は、カウンター載置部１９の後方の支持脚２１に取り付けられた配管支持部材３５により支持されている。配管支持部材３５は、ネジ孔が開口されたＬ字形状の金属の配管支持部材取り付け部３５ａと、配管の下方からＵ字形状の抱え込み金具３５ｂと、配管支持部材ネジ孔３５ｃと、ナット等（図示しない）の締結手段で構成されている。配管をＵ時形状に沿わせるようにして配管支持部材３５に固定する。（図５参照）。
【００３５】
図６に示すように、第三カウンター載置部２７の後方には第三カウンター載置部２７を壁面に固定するための固定部材であるボルト３３及びボルト穴（図示せず）が設けられている。同様に、第二カウンター載置部２９の後方にも第二カウンター載置部２９を壁面に固定するための固定部材であるボルト３３及びボルト穴（図示せず）が設けられている。
【００３６】
中央カウンター載置部３１の前後補強部材２３及び左右補強部材２５と、第三カウンター載置部２７の左右補強部材２５と、第二カウンター載置部２９の左右補強部材２５と、にはカウンター載置部の高さを調節するためのアジャスターボルト３４がそれぞれ一ヵ所ずつ設けられている。
【００３７】
以下に、本発明の実施の形態における金属フレーム７の機能について説明する。
第二カウンター載置部２９は、前方に第二カウンター載置部の前方の支持脚２１ｃを有している。また第三カウンター載置部２７も前方に第三カウンター載置部の前方の支持脚２１ａを有している。このため、第二カウンター載置部２９、第三カウンター載置部２７を中央カウンター載置部本体３１ａに対して摺動して伸縮させた場合においても、壁面に設けられた配管接続管に衝突することがない。
【００３８】
さらに、カウンター載置部１９の伸縮時の前方の支持脚２１の下端と、この下端と共に摺動する左右補強部材２５と床面３との設置面積は、前後補強部材２３が支持脚と共に移動するものに比べて、第三カウンター載置部の前方の支持脚２１ａと中央カウンター載置部の前方の支持脚２１ｂのみが床面３と摩擦されるため小さい。このため、カウンター９をカウンター載置部１９の上方に載置して、カウンター９がカウンター載置部１９を通じて第三カウンター載置部の前方の第三カウンター載置部の前方の支持脚２１ａや中央カウンター載置部の前方の支持脚２１ｂを床面３に強く押し当てたとしても、比較的小さな力で床面の凹凸に引っかかりにくく、スムーズにカウンター載置部１９を移動させることができる。
【００３９】
また、中央カウンター載置部の後方の支持脚２１ｄは、中央カウンター載置部後方延長部材３１ｂの両端から下方に延びている。さらに、下端同士が床面３上で接続されている。よって、カウンターをカウンター載置部１９の上方に載置した状態で、第三カウンター載置部２７ないし第二カウンター載置部２９を移動させるときに、カウンター９の前方を持ち上げて、カウンター９の重心を後方に移動させる動作をして、第三カウンター載置部２７乃至第二カウンター載置部２９を移動させる場合において、金属フレーム７が左右方向にぐらつくことがない。
【００４０】
さらに、中央カウンター載置部後方延長部材３１ｂから下方に伸びる中央カウンター載置部の後方の支持脚２１ｄに配管支持部材３５が組みつけられている。このため、配管を配設したあとでカウンター載置部１９を伸縮させる場合であっても、配管が配管支持部材３５に組み付けられているため、配管の配設の影響を受けずに、カウンター載置部１９を伸縮させることができる。
【００４１】
また、第三カウンター載置部２７及び第二カウンター載置部２９は後方に支持脚が設けられておらず、前方のみに支持脚２１ａ及び２１ｃが設けられているため、床面３のゆがみなどによる影響を受けやすい。床面３のゆがみが大きい場合、第三カウンター載置部２７と、第二カウンター載置部２９と、中央カウンター載置部３１との高さが異なってしまい、カウンター載置部の上面１９の上面に載置されるカウンター９が、床面と平行に取り付けられない恐れがあるため、それぞれのカウンター載置部１９の上部の高さが均一になるように調節する必要がある。
【００４２】
このとき、第三カウンター載置部２７と第二カウンター載置部２９の支持脚である２１ａ及び２１ｃから離れた位置にある、第三カウンター載置部２７と第二カウンター載置部２９の後端部にそれぞれを壁面に固定するための固定部材であるボルト３３及びボルト穴（図示せず）を設けた。これによって、第三カウンター載置部２７と、第二カウンター載置部２９と、中央カウンター載置部３１との高さが均一になるように調節することができる。
【００４３】
また、これによって、カウンター載置部１９の上部にカウンター９を載置させた際に、重合領域に偏った荷重がかかることがなくなるため、カウンター載置部１９の摺動部同士が重なる重合領域と、摺動部同士が重ならない領域との境界に曲げが発生することを防止できる。
【００４４】
さらに、本実施形態のように、中央カウンター載置部３１の前後補強部材２３と左右補強部材２５に対してはそれぞれ二か所ずつ、第三カウンター載置部２７の左右補強部材２５と、第二カウンター載置部２９の左右補強部材２５とに対してはそれぞれ一ヵ所ずつアジャスターボルト３４を設けることで、カウンター載置部１９だけでなく、アジャスターボルトでも第三カウンター載置部２７と、第二カウンター載置部２９と、中央カウンター載置部３１との高さが均一になるように調節することができる。
【００４５】
以下に本実施の形態における施工手順の１例について図２、図３、図４に基づき説明する。先ず、金属フレームは中央フレーム、第三フレーム、第二フレームに分けられる。これらについて説明する。
【００４６】
中央フレームの構成について説明する。中央カウンター載置部本体３１ａに、中央カウンター載置部後方延長部材３１ｂと、中央カウンター載置部前方延長部材３１ｃが予め摺動可能に組み付けられている。同時に、この中央カウンター載置部本体３１ａの前方に、中央カウンター載置部の前方の支持脚２１ｂが予め組み付けられている。さらに、中央カウンター載置部前方延長部材３１ｃの両端には、中央カウンター載置部の後方の支持脚２１ｄが予め組みつけられている。この中央カウンター載置部の後方の支持脚２１ｄに対して、前方に延びる前後補強部材２３が予め組み付けられている。さらに、この前後補強部材２３の前方に左右補強部材２５が予め組みつけられている。なお、ａ１、ａ３、ａ６、ａ７、ａ１０、ａ１１の位置で夫々摺動可能に連結されている（図３参照）。
【００４７】
第三フレームの構成について説明する。第三カウンター載置部２７に、第三カウンター載置部の前方の支持脚２１ａが予め組みつけられている。
【００４８】
第二フレームの構成について説明する。
第二カウンター載置部２９に、第二カウンター載置部の前方の支持脚２１ｃが予め組みつけられている。
【００４９】
次に、上記フレームの設置に関して説明をする。中央フレームを手洗器ユニット１の設置予定の床面の中央に対して載置する。そして、この中央フレームの左方に第三フレーム、右方に第二フレームを載置する。中央フレームと第三フレームの連結については、ａ１、ａ５、ａ９の位置で夫々摺動可能に連結されている。中央フレームと第二フレームの連結については、ａ４、ａ８、ａ１２の位置で夫々摺動可能に連結されている。前記摺動の位置決めのための固定に関しては、ネジ等の締結手段を用いる。
【００５０】
この金属フレームを摺動させてカウンター載置部の摺動部同士が重なり合う領域、すなわち、重合領域を変更可能とし、このフレームを伸縮させる場合に関しては、図２の状態が、最も縮められた場合であり、図４の状態が最も伸ばされた状態である。
【００５１】
図３のａ１からａ１２の摺動箇所について、フレームを摺動させることにより、最も縮められた場合から、最も伸ばされた状態にすることができる。
【００５２】
例えば、本実施の形態のように、手洗器がカウンター９の左右の両の方向に対称に位置している場合においては、夫々の摺動箇所を一定の間隔に保つことで、十分な強度を保つことができる。
【００５３】
一方で、手洗器が左右非対称に位置している場合においては、中央フレームの中央カウンター載置部後方延長部材３１ｂを手洗器の下方に位置させることが望ましい。利用者がカウンター９に手をつくなどをして、カウンター９に加重をかけた場合に耐えうる十分な固定強度を保つ必要があるからである。このようなときに、摺動箇所が多くあり、中央フレームを中心にして、フレームが摺動可能に構成されて、伸縮できることは大きなメリットである。
【符号の説明】
【００５４】
１・・手洗器ユニット
３・・・床面
５・・・配管取り付け管
７・・・金属フレーム
９・・・カウンター
９ａ・・・上段面
９ｂ・・・下段面
９ｃ・・・段差面
１０・・・化粧パネル
１１・・・排水管
１２・・・水栓
１３・・・排水口
１５・・・ボウル部
１７・・・手摺
１９・・・カウンター載置部
２１ａ・・・第三カウンター載置部の前方の支持脚
２１ｂ・・・中央カウンター載置部の前方の支持脚
２１ｃ・・・第二カウンター載置部の前方の支持脚
２１ｄ・・・中央カウンター載置部の後方の支持脚
２３・・・前後補強部材
２５・・・左右補強部材
２７・・・第三カウンター載置部
２９・・・第二カウンター載置部
３１・・・中央カウンター載置部
３１ａ・・・中央カウンター載置部本体
３１ｂ・・・中央カウンター載置部後方延長部材
３１ｃ・・・中央カウンター載置部前方延長部材
３３・・・ボルト
３４・・・アジャスターボルト
３５ａ・・・配管支持部材取り付け部
３５ｂ・・・抱え込み金具
３５ｃ・・・配管支持部材ネジ孔
ａ１〜ａ１２・・・矢印
【図１】
2018167017.tif 000003
【図２】
2018167017.tif 000004
【図３】
2018167017.tif 000005
【図４】
2018167017.tif 000006
【図５】
2018167017.tif 000007
【図６】
2018167017.tif 000008